(57)【要約】本発明はＶＲ眼鏡に関し、眼鏡本体とカバープレートを備え、前記眼鏡本体と前記カバープレートが固定接続し、前記眼鏡本体と前記カバープレートの間には、電子装置を収容するための収容空間が形成され、前記カバープレートの前記眼鏡本体に向いている側には支持ガスケットが設けられ、前記支持ガスケットの表面が複数の突出部を備え、前記電子装置が前記収容空間の開口方向に沿って前記収容空間内に収容される際、前記複数の突出部が変形して前記電子装置に向いている反対方向の支持力を生成することで、前記電子装置が前記収容空間内に押し付けられる。
2019518342.tif 000002
【特許請求の範囲】
【請求項１】
バーチャルリアリティ（ＶＲ：Ｖｉｒｔｕａｌ  Ｒｅａｌｉｔｙ）眼鏡であって、
眼鏡本体とカバープレートを備え、前記眼鏡本体と前記カバープレートが固定接続し、前記眼鏡本体と前記カバープレートの間には、電子装置を収容するための収容空間が形成され、
前記カバープレートの前記眼鏡本体に向いている側には支持ガスケットが設けられ、前記支持ガスケットの表面が複数の突出部を備え、前記電子装置が前記収容空間の開口方向に沿って前記収容空間内に収容される際、前記複数の突出部が変形して前記電子装置に向いている反対方向の支持力を生成することで、前記電子装置が前記収容空間内に押し付けられる、前記ＶＲ眼鏡。
【請求項２】
前記支持ガスケットは、前記カバープレートに向いている第一合わせ面を備え、前記第一合わせ面が前記カバープレートに向いて伸び出して前記複数の突出部を形成する
請求項１に記載のＶＲ眼鏡。
【請求項３】
前記第一合わせ面には凹溝が設けられ、前記複数の突出部が前記凹溝の底面に位置している
請求項２に記載のＶＲ眼鏡。
【請求項４】
前記複数の突出部は１つ又は複数の突出リブを備える
請求項１に記載のＶＲ眼鏡。
【請求項５】
前記突出リブが前記カバープレートの幅方向又は高さ方向に沿って設けられる
請求項４に記載のＶＲ眼鏡。
【請求項６】
前記複数の突出部は１つ又は複数の突出塊を備える
請求項１に記載のＶＲ眼鏡。
【請求項７】
前記支持ガスケットは、前記カバープレートに向いている第一合わせ面を備え、前記第一合わせ面のエッジ領域にはバックルが設けられ、前記バックルが前記カバープレートの表面上の溝と係合することで、前記支持ガスケットが前記カバープレートに装着される
請求項１に記載のＶＲ眼鏡。
【請求項８】
前記支持ガスケットは、前記眼鏡本体に向いている第二合わせ面を備え、前記第二合わせ面はガイド部と当接部を備え、前記ガイド部が前記収容空間に収容された前記電子装置を案内するために用いられ、前記電子装置が前記収容空間に収容された後に前記当接部に当接する
請求項１に記載のＶＲ眼鏡。
【請求項９】
前記ガイド部は、前記開口方向に向いている傾斜部を備える
請求項８に記載のＶＲ眼鏡。
【請求項１０】
前記支持ガスケットがシリコン材質により形成される
請求項１に記載のＶＲ眼鏡。
【発明の詳細な説明】
【技術分野】
【０００１】
関連出願との相互参照
本願は、出願号２０１７１０２２９５７４．Ｘ、出願日２０１７年４月１０日の中国特許出願に基づいて提出され、当該中国特許出願の優先権を主張し、当該中国特許出願のすべての内容が本願に援用される。
【０００２】
本発明はバーチャルリアリティ技術分野に関し、特にＶＲ眼鏡に関する。
【背景技術】
【０００３】
バーチャルリアリティ（ＶＲ：Ｖｉｒｔｕａｌ  Ｒｅａｌｉｔｙ）技術はコンピュータシミュレーションシステムであり、シミュレーション環境を生成し、３次元動的ビュー、エンティティ動作の相互作用などの方式でユーザにイマージョンの応用体験を提供することができる。
【０００４】
従来技術において、バーチャルリアリティ機能モジュールを含むＶＲ眼鏡を提供して、ユーザの携帯電話、タブレットなどの電子装置を介してバーチャルリアリティ内容を再生することによって、簡単かつ安価なバーチャルリアリティの解決案が提案されている。
【０００５】
しかしながら、異なる電子装置のサイズ、仕様、材質などに大きい差異が存在するため、従来技術においてのＶＲ眼鏡では電子装置を固めにクランプすることができず、これによって、使用中にジッタ、揺れ等の現象が発生しやすく、ユーザが使用するときのイマージョンの体験に影響を与え、更にユーザーにめまいなどの不快感をもたらすこともできる。
【発明の概要】
【課題を解決するための手段】
【０００６】
従来技術の問題を解決するために、本発明はＶＲ眼鏡を提供する。
【０００７】
本発明の実施形態によれば、ＶＲ（Ｖｉｒｔｕａｌ  Ｒｅａｌｉｔｙ）眼鏡を提供し、前記ＶＲ眼鏡は、
眼鏡本体とカバープレートを備え、前記眼鏡本体と前記カバープレートが固定接続し、前記眼鏡本体と前記カバープレートの間には、電子装置を収容するための収容空間が形成され、
前記カバープレートの前記眼鏡本体に向いている側には支持ガスケットが設けられ、前記支持ガスケットの表面が複数の突出部を備え、前記電子装置が前記収容空間の開口方向に沿って前記収容空間内に収容される際、前記複数の突出部が変形して前記電子装置に向いている反対方向の支持力を生成することで、前記電子装置が前記収容空間内に押し付けられる。
【０００８】
好ましくは、前記支持ガスケットは、前記カバープレートに向いている第一合わせ面を備え、前記第一合わせ面が前記カバープレートに向いて伸び出して前記複数の突出部を形成する。
【０００９】
好ましくは、前記第一合わせ面には凹溝が設けられ、前記複数の突出部が前記凹溝の底面に位置している。
【００１０】
好ましくは、前記複数の突出部は１つ又は複数の突出リブを備える。
【００１１】
好ましくは、前記突出リブが前記カバープレートの幅方向又は高さ方向に沿って設けられる。
【００１２】
好ましくは、前記複数の突出部は１つ又は複数の突出塊を備える。
【００１３】
好ましくは、前記支持ガスケットは、前記カバープレートに向いている第一合わせ面を備え、前記第一合わせ面のエッジ領域にはバックルが設けられ、前記バックルが前記カバープレートの表面上の溝と係合することで、前記支持ガスケットが前記カバープレートに装着される。
【００１４】
好ましくは、前記支持ガスケットは、前記眼鏡本体に向いている第二合わせ面を備え、前記第二合わせ面はガイド部と当接部を備え、前記ガイド部が前記収容空間に収容された前記電子装置を案内するために用いられ、前記電子装置が前記収容空間に収容された後に前記当接部に当接している。
【００１５】
好ましくは、前記ガイド部は、前記開口方向に向いている傾斜部を備える。
【００１６】
好ましくは、前記支持ガスケットがシリコン材質により形成されている。
【００１７】
上記の実施形態によれば、本発明の突出部が外部装着力の作用で変形し、生成された反対方向の支持力を電子装置に作用することにより、カバープレート側から電子装置へ伝達される支持力が増加し、電子装置が収容空間内での相対的な位置が固定され、ＶＲ眼鏡が揺れた時の電子装置の揺れに起因するユーザの目線に対する再生画面がずれて、ユーザのイマージョン体験に影響を与えることを防止することができる。
【００１８】
上記の一般的な説明及び下記の詳細な説明は、ただ例示的及び説明的なものに過ぎず、本発明を限定するものではないことを理解すべきである。
【図面の簡単な説明】
【００１９】
【図１】一例の例示的な実施形態に基づいて示したＶＲ眼鏡と電子装置との装着の示す図である。
【図２】一例の例示的な実施形態に基づいて示した支持ガスケットの示す図である。
【図３】一例の例示的な実施形態に基づいて示したもう１つの支持ガスケットの示す図である。
【図４】一例の例示的な実施形態に基づいて示したまた１つの支持ガスケットの示す図である。
【図５】一例の例示的な実施形態に基づいて示した更に１つの支持ガスケットの示す図である。
【図６】一例の例示的な実施形態に基づいて示したほかの支持ガスケットの示す図である。
【発明を実施するための形態】
【００２０】
ここでの図面は、明細書に組み込まれて本明細書の一部を構成し、本発明に合致する実施形態を示し、明細書と共に本発明の原理を説明するためである。
【００２１】
ここで、例示的な実施形態に対して詳しく説明し、その例示を図面に表される。以下の図面関連の説明において、ほかに示されない限り、異なる図面における同一の符号は同じまたは類似の要素を表す。以下の例示的な実施形態において説明された実施形態は本発明と一致している全ての実施形態を表すことではない。逆に、それらはただ添付の特許請求の範囲に詳述された、本発明のいくつかの態様による装置と方法の単なる例である。
【００２２】
本発明に使われた用語はただ特定な実施形態を説明するためのものであり、本発明を限定するものではない。文脈には他の意味があることを明確に示されない限り、本発明と添付の請求項に使われた単数形である「一種」、「前記」と「当該」は複数形も含む。本発明に使われた用語「及び／又は」には、関連する１つ又は複数の項目に係るいずれかの１つ又は全ての可能性がある組合が含まれると理解すべきである。
【００２３】
本発明において、第一、第二、第三などの用語を使って各情報を説明する可能性があるが、これらの情報が上記の用語によって限定されない。上記の用語はただ同じ種類の情報を区別するためのものである。例えば、本発明の範囲から逸脱しない前提で、第一情報を第二情報と称することができ、同様に、第二情報を第一情報と称することもできる。文脈に応じて、例えば、ここで使われた「もし」が「…とき」又は「…場合」又は「…応じて決定する」に説明されることを理解すべきである。
【００２４】
図１は一例の例示的な実施形態に基づいて示したＶＲ眼鏡と電子装置との装着の示す図であり、図１に示すように、当該ＶＲ（バーチャルリアリティ：Ｖｉｒｔｕａｌ  Ｒｅａｌｉｔｙ）眼鏡１００は眼鏡本体１とカバープレート２を含めてよく、眼鏡本体１とカバープレート２が固定接続することで、接続された後、電子装置３を収容するための収容空間１１を形成する。当該収容空間１１は図１に示すような開口方向Ａを有することで、電子装置３が該開口方向Ａに沿って収容空間１１内に収容される。電子装置３が収容空間１１に装着された後、電子装置３の画面側が眼鏡本体１に向き、バックプレーン側がカバープレート２に向き、これにより、ユーザがＶＲ眼鏡をかけた後、電子装置３の再生画面を見える。電子装置３の装着を強化するために、カバープレート２の眼鏡本体１に向いている側に支持ガスケット４が設けられ、支持ガスケット４を介して電子装置３のバックプレーン側を支持する。
【００２５】
ここで、図２に示すように、該支持ガスケット４の表面には複数の突出部４１が設けられてよく、電子装置３が開口方向Ａに沿って収容空間１１に収容されるとき、当該複数の突出部４１が外部装着力の作用で変形することで、電子装置３に向いている反対方向の支持力Ｆを生成し、該反対方向の支持力Ｆが図１の矢印に示すような方向に沿って電子装置３のバックプレーン側に作用し、反対方向の支持力Ｆの作用で電子装置３を収容空間１１内に押し付けられ、電子装置３と眼鏡本体１の固定接続を保持する。
【００２６】
上記の実施形態によれば、支持ガスケット４の突出部４１が外部装着力の作用で変形し、生成された反対方向の支持力Ｆが電子装置３に作用し、突出部４１を設けない支持ガスケット４に比べて変形量を増大させ、これにより、カバープレート２側から電子装置３へ伝達される支持力が増加し、電子装置３の収容空間１１内での相対的な位置が固定され、ＶＲ眼鏡が揺れた時の電子装置３の揺れに起因するユーザの目線に対する再生画面がずれて、ユーザのイマージョン体験に影響を与えることを防止することができる。
【００２７】
本発明の実施形態において、上記の複数の突出部４１は１つ又は複数の突出リブを含めてよく、例えば、図２に示すように、カバープレート２の幅方向に沿って設けられた突出リブ４１１、４１２であり、ここで、例示的に説明し、本発明は突出部の数及び形に対して限定しない。ここで、図３に示すように、突出リブ４１１、４１２がカバープレート２の高さ方向に沿って設けられてよい。カバープレート２の幅方向又は高さ方向と鋭角を形成して設けられ、本発明はこれに対して限定しない。
【００２８】
一例の実施形態において、突出リブ４１１、４１２が支持ガスケット４の第一合わせ面４２に沿ってカバープレート２に向かって伸びだして形成してよく、ここで、第一合わせ面４２は支持ガスケット４がカバープレート２に向いている側であり、図４に示すように、これにより、反対方向の支持力Ｆを提供すると共に電子装置３の装着に影響しない。更に、第一合わせ面４２の表面に凹溝４２１が形成されてよく、突出リブ４１１、４１２が凹溝４２１の底面に設けられ、図５に示すように、これにより、突出リブ４１１、４１２の高さを増加し、突出部４１の最大の変形量を向上して反対方向の支持力Ｆのリミット値が増加させ、異なる厚みの電子装置に対して適切な反対方向の支持力Ｆを提供し、収容空間１１内に保持させる。もちろん、突出リブ４１１、４１２が支持ガスケット４の第二合わせ面４３に沿って眼鏡本体１に向かって伸びだして形成してもよく、該第二合わせ面４３は支持ガスケット４が眼鏡本体１に向いている側であり、本発明はこれに対して限定しない。
【００２９】
本発明の実施形態において、当該複数の突出部４１は１つ又は複数の突出塊を含めてよく、例えば、図６に示すような突出塊４１３、４１４であり、突出リブ４１１、４１２を使用する構造に比べて、電子装置３のバックプレーン側の受けられた力が更に均一であり、収容空間１１内に反対方向の支持力Ｆの作用で、電子装置３が傾斜になることを防止する。当該複数の突出部４１は突出塊と突出リブの組合せの構造であってよく、本発明はこれに対して限定しない。
【００３０】
上記の各実施形態に基づいて、電子装置３が開口方向Ａに沿って収容空間１１内に収容されるとき、支持ガスケット４に対して斜めの下方に向く装着力を生成するので、支持ガスケット４がカバープレート２に固めに装着されるために、第一合わせ面４２のエッジ領域にバックル４２２が設けられ、例えば、図５に示すようなバックル４２２１とバックル４２２２などであり、本発明は具体的な数に対して限定しない。ここで、該バックル４２２１、４２２２がカバープレート２の表面上の対応の溝に係合して、溝とバックル４２２との装着によって支持ガスケット４がカバープレート２に固めに設けられ、外部装着力の作用で変位、脱落を発生しない。
【００３１】
本発明の実施形態において、支持ガスケット２の第二合わせ面４３には、図４に示すようなガイド部４３１及び当接部４３２が設けられてよい。該ガイド部４３１が収容空間１１内に収容された電子装置３に対して案内を行い、例えば、開口Ａに向かって設けられた傾斜部であり、傾斜部によって案内されて電子装置３が収容空間１１内により易しく収容されて装着の難易度を低下する。当接部４３２は、収容空間１１内に完全に収容された電子装置３のバックプレーン側に当接することで、反対方向の支持力Ｆを電子装置３に伝達する。
【００３２】
本発明の技術案に基づいて、支持ガスケット４が弾性材質で製造され、外部装着力の作用で変形させ、電子装置３が取られた後、支持ガスケット４の変形が回復でき、電子装置３を頻繁に装着する及び取り外すために用いられる。ここで、該弾性材質はシリコン材質、フォーム、樹脂などであってよく、本発明はこれに対して限定しない。
【００３３】
本明細書の他の実施例は、本明細書の考察および本明細書に開示された本発明の実施から当業者に明らかになるだろう。この出願は、本発明のあらゆる変形、用途或いは適応的な変化を含むことを旨とし、これらの変形、用途或いは適応的な変化は、本発明の一般的原理に従って、且つ本発明から開示されていない本分野の公知常識或いは慣用技術手段を含む。明細書と実施形態は例示的なものに過ぎず、本発明の真の範囲および精神が添付の特許請求の範囲によって示される。
【００３４】
本発明は、上記説明された且つ添付の図面に示されたた精確の構造に限定されず、その範囲から逸脱することなく、様々な修正および変更を行うことができることを理解すべきである。本発明の範囲は、添付の特許請求の範囲によってのみ限定される。
【産業上の利用可能性】
【００３５】
本発明に係る実施形態によれば、突出部が外部装着力の作用で変形し、生成された反対方向の支持力を電子装置に作用することにより、カバープレート側から電子装置へ伝達される支持力が増加し、電子装置が収容空間内での相対的な位置が固定され、ＶＲ眼鏡が揺れた時の電子装置の揺れに起因するユーザの目線に対する再生画面がずれて、ユーザのイマージョン体験に影響を与えることを防止することができる。
【図１】
2019518342.tif 000003
【図２】
2019518342.tif 000004
【図３】
2019518342.tif 000005
【図４】
2019518342.tif 000006
【図５】
2019518342.tif 000007
【図６】
2019518342.tif 000008
【国際調査報告】
2019518342.tif 000009
2019518342.tif 000010
2019518342.tif 000011
2019518342.tif 000012